(57)【特許請求の範囲】
【請求項１】
ピクセルにより構成されている第１のパターンと第１の面とを有する第１の電子式記録用紙のシートと、
ピクセルにより構成されており、前記第１のパターンとは異なる第２のパターンと第２の面とを有する第２の電子式記録用紙のシートとを備えており、
前記第１の面と前記第２の面とが隣接するように貼り合わされた改ざん履歴記録機能付き電子式記録用紙であって、
前記改ざん履歴記録機能付き電子式記録用紙の第１の電子式記録用紙のシートに書き込みを行う際には、前記第１の電子式記録用紙のシートと前記第２の電子式記録用紙のシートの両方のシートに書き込みが行われ、前記改ざん履歴記録機能付き電子式記録用紙の第１の電子式記録用紙のシートに書かれたものを消去する際には、前記第１の電子式記録用紙のシートに書かれたものと、前記第２の電子式記録用紙のシートに書かれたもの及び前記第２のパターンと、の両方が消去されること、
を特徴とする改ざん履歴記録機能付き電子式記録用紙。
【発明の詳細な説明】
【０００１】
【発明の属する技術分野】
本発明は再使用可能な電子式記録用紙に関し、特に改ざんを行うとその履歴を記録することによりこれを防止する再使用可能な電子式記録用紙に関する。
【０００２】
【従来の技術】
図１は電子式記録用紙の一つの形態を示すものであって、ポリマー基板に微小な球２０が複数埋め込まれている。この微小球２０は、例えば一つの側が白３０となっており、他方の側が黒４０となっている。このような電子式記録用紙に関しては、米国特許公報第５，６０４，０２７号を参照することが可能である。この電子式記録用紙に電界を印加すると、その作用によりそれぞれのボールが回転し、一方または他方の色の側面が上面に向くようになり、観察者がこの電子式記録用紙の上面より観察するとその上面が観察されるようになるのである。
【０００３】
この電子式記録用紙に印刷するときは、紙面全体にわたって電子的パターンを印加する。この電子的パターンは紙面の上面と下面とで異なる電圧を印加することにより形成される。電子的パターンを形成するための典型的な方法は、用紙を帯電棒のもとにさらすものである。紙面が帯電棒の下をくぐると、わずかな隙間をもって離間された電気的接触の組にそって電圧が印加され、各ピクセルを形成する球に対して電圧が作用する。
【０００４】
電子的記録用紙のひとつの形態は上述のようであるが、これ以外にも様々な形態が知られている。例えば電子式記録用紙に球とは異なった回転体、例えば円柱形の回転体を埋め込んでも良い。また、電子式記録用紙を電気泳動体または液晶により構成してもよい。
【０００５】
【発明が解決しようとする課題】
我々の社会では会計監査に服する書類が頻繁に発見される。例えば工場から顧客のもとへ出荷されるほとんどの品目は、パッケージの外側に書類が添付されており、この品目の処理にかかわる様々な人々が署名をする欄が設けられている。これらの書類はしばしば複数の普通紙を重ね合わせ、間にカーボン紙を挿入したもので、それぞれの人が署名をした時点でこの署名の記録と取引の履歴が保存されるようになっている。ところで現代の社会ではコンピュータが会計監査を含む取引の中に入り込むようになっている。例えば製品の出荷にかかわる事業者は、その内部での会計監査にかかわる事務量の削減を目的として、オペレーションの合理化にコンピュータを導入している。コンピュータのこのような活用にかかわる問題として、しばしば異なる組織体からの人々の間で会計監査を含む取引が行われているということがあげられる。取引にかかわる両当事者が取引の記録を必要としているわけであるが、両当事者のうち一方がコンピュータ化されていないことがありうる。また、両者がともにコンピュータ化されていたとしても、そのコンピュータが相互に互換性を有しない場合も考えられる。このように、互換性が欠如している場合、またはコンピュータ化がなされていない場合は、単一の会計監査資料に記録されている場合よりも取引の履歴に関するデータがコンピュータや記録紙の中でまちまちとなってしまうことがありうる。
【０００６】
【課題を解決するための手段】
本発明は上述の問題を解決しようとするものであり、本発明により、もし資料に改ざんがなされたときはこれが明らかな証拠として残る電子式記録用紙が提供される。本発明の改ざん履歴記録機能付き電子式記録用紙の一例によれば、電子式記録用紙の上側シートを白無垢に塗りつぶしておき、下側シートに均一なパターンを印刷しておき、しかる後両シートを貼り合わせることによって構成される。下側シートに印刷するパターンの例としては、黒と白のピクセルが市松模様的に配置された格子模様でもよい。この改ざん履歴記録機能付き電子式記録用紙に書き込みを行うときは、例えば所望のピクセルを上側シートと下側シートの両方において黒の側を向けさせることにより行う。もしこの改ざん履歴記録機能付き電子式記録用紙に書かれたものを部分的に消去しようとすると（例えばピクセルを白に戻そうとすると）、上側シートの消去部分が白に戻るだけでなく、下側シートの対応部分も白に戻ってしまう。このため、下側シートの書かれた画像を消去するだけでなく下側シートの均一パターンも消去することになってしまう。この結果、この改ざん履歴記録機能付き電子式記録用紙に対してなされたあらゆる消去行為は、下側シートの均一パターンが損なわれるという形で履歴として残るのである。もし改ざん履歴記録機能付き電子式記録用紙に適当な電界を印加して下側シートの均一パターンを復元することにより消去行為が行われたことの隠蔽を図ろうとすると、上側シートにも均一パターンが形成されてしまう。
【０００７】
本発明の一つの形態によれば、上側シートと下側シートとを永久のりにて貼り合わせることにより、この改ざん履歴記録機能付き電子式記録用紙に対して履歴を残さずに消去行為を行うことが実質的に不可能になる。しかしながら、この改ざん履歴記録機能付き電子式記録用紙は、２枚のシートを分離しないかぎり改ざん履歴記録機能付き電子式記録用紙としては１回しか使うことができない。しかし通常の電子式記録用紙としてはいつでも再使用可能である。
【０００８】
この改ざん履歴記録機能付き電子式記録用紙はコンピュータが組み込まれているシステムであっても組み込まれていないシステムであっても会計監査に服しうるものとして使用可能である。この電子式記録用紙にペンで署名をするときは、ペンの先端とこの電子式記録用紙のシートの対向面の均一電極との間に電場を発生させることにより行う。コンピュータが会計監査のシステムに組み込まれているときは、会計監査の対象となっている改ざん履歴記録機能付き電子式記録用紙をディスプレイに挿入することによりびっくり箱ディスプレイ（jack-in-the-box display）が使用可能である。署名及びその他の記入事項はびっくり箱ディスプレイに付加されたコンピュータの中及び電子式記録用紙の上にて同時に捕捉される。ディスプレイの走査を通じて会計監査書類のデータをコンピュータに取り込むことが可能であり、さらにこのデータを別の電子式記録用紙に転写して取引の記録を保存し、一方で会計監査書類をその処理の流れに流すことも可能である。
【０００９】
本発明によれば、例えば球が電界に反応して回転するときの電界の強さを異なるように設定し、改ざん履歴記録機能付き電子式記録用紙が再使用できるようにしてもよい。球は電界の強さのある閾値を境にして回転し始める傾向がある。すなわち、電界の強さが所定の値を下回っていると回転は起こらず、所定の値を上回ると回転し始める。球が小さいときは低い電界でも回転が起こり、大きい場合は強い電界が印加されないと回転が起こらない。従って、改ざんの履歴を残す紙の層では、そうでない層に比較して弱い電界でも書きこみができるように小さい球を埋め込んでおく。改ざん履歴記録機能付き電子式記録用紙に新たにパターンを印刷し再使用可能にするためには、比較的高い電圧を用いてすでに書きこまれているものをすべて消去し、次に比較的弱い電圧を用いて改ざん検出層に改ざん検出パターンを印刷し、他方の層の白無垢の状態を維持するようにする。この種類の改ざん履歴記録機能付き電子式記録用紙は改ざんの履歴を残さずに改ざんを行う可能性を残しているが、この場合はこの比較的高い電圧と比較的低い電圧の両方を発生できるプリンタが必要となる。
【００１０】
さらに本発明によれば、使用に先立って紙面に背景のパターンを印刷した単一シートの具体例も提供される。この背景パターンは例えば暗号のような込み入ったものがよい。
【００１１】
【発明の実施の形態】
図２は本発明による改ざん履歴記録機能付き電子式記録用紙を示している。図２における改ざん履歴記録機能付き電子式記録用紙は上側シート１００及び下側シート２００の２枚の電子式記録用紙より成る。上側シート１００及び下側シート２００は、例えば図１に示すような通常の電子式記録用紙であってよい。この具体例では、上側シート１００及び下側シート２００は素子２０を埋め込んだポリマー基板より成り、素子２０は一方の側が白であり、他方の側が黒となっているが、別の色を含む組み合わせであってもかまわない。参照番号３０は白色側が上を向いている要素２０であり、参照番号４０は黒色側が上を向いている要素２０を表している。図２では数個の要素２０しか示していないが、上側シート１００と下側シート２００の実質的にすべての領域に要素２０が埋め込まれているものと解釈されたい。さらに、各要素２０は明瞭に示すために離間して描かれているが、実際は相互に緻密に配置されているものと解釈されたい。
【００１２】
図３は上側シート１００と下側シート２００とが貼り合わされる直前の状態を描いている。この例では上側シート１００と下側シート２００とが分離不能に貼り合わされることになる。ただし、上側シート１００と下側シート２００との貼り合わせは必ずしも分離不能でなくともよく、ホッチキスやリベットのような機械的な固定方法により合体されていてもよい。貼り合わせに先だって上側シート１００を白無垢の状態にしておく。すなわち上側シート１００に対して電界を印加してすべての要素２０が白色側３０を上に向けるようにする。又貼り合わせに先立って下側シート２００にも電界を印加し、一部の要素がその白色側３０を上に向けるようにし、残りの要素が黒色側４０を上に向けるようにする。図３に示す例においては、黒色側を上に向けた要素と白色側を上に向けた要素とが交互に配置された灰色のパターンを形成する電界を要素２０に対して印加する。本発明がいかに機能するかを説明するためにこの例では単純な灰色のパターンを用いているが、絵文字又はその他の暗号コードのようなパターンを用いても良い。例えば要素２０の白色側３０が０を表し、黒色側４０が１を表しても良い。このように、必要があればデジタル暗号コード、すなわち署名を下側シート２００に印刷してもよい。
【００１３】
図４から図６は図２及び図３に示す改ざん履歴記録機能付き電子式記録用紙の分解斜視図である。図４から図６は上側シート１００と下側シート２００とが分離不能に貼り合わされた後のこれらシートの異なる段階を示したものであるが、明瞭に示すため図４から図６は分解斜視図の形式で描いてある。
【００１４】
図４はユーザにより改ざん履歴記録機能付き電子式記録用紙に書きこみが行われた後の状態の上側シート１００と下側シート２００を示している。書きこんだもの１１０（この場合は十字架の形状であるが）は上側シート１００上に観察されるようになる。これは書きこみ用のツールにより形成された電界によって要素２０が回転し、その黒色側が上を向くようになるからである。しかしながら、上側シート１００の要素２０を回転させる電場は下側シート２００における対応する要素２０を回転させるので、下側シートでも黒色側４０が上を向くことになる。説明の都合上要素には３桁の参照番号を付してある。その１００の位の数字は対応するシートを表し（１ならばシート１００のもの、２ならばシート２００のもの）、１０の位の数字は要素の列の番号（用紙の左側より数える）を表し、１の位の番号は要素の行の番号（用紙の上側より数える）を表している。例えば、図４の要素１５１は上側シート１００の５列目の１行に位置する要素を表し、２５２は下側シート２００の５列目の２行に位置する要素を表している。
【００１５】
図３において、改ざん履歴記録機能付き電子式記録用紙に書きこみ１１０を行う前では要素２５１は白色側３０を上に向けている。図４に示すように、書き込みを行うと要素２５１は黒色側４０を上に向ける。これは電界の影響により要素１５１が黒色側４０を上に向けることになり、これに伴い要素２５１も黒色側４０を上に向けるようになるからである。図３に示すように、要素２５２は下側シート２００に形成されたパターンの一部として、改ざん履歴記録機能付き電子式記録用紙として構成される以前から黒色側４０を上に向けていたものである。図４に示すように、書きこみを行うと要素１５２は黒色側４０を上に向けるようになるが、要素２５２は書きこみを行う前から黒色側４０を上に向けていた要素であるので、書きこみの後でもやはり黒色側４０を上に向けたままである。言いかえると、書き込みにより状態が変化した上側シート１００の要素２０に対応する下側シート２００の要素２０は、それが書きこみ前に黒色側４０を上に向けていたか否かにかかわりなく黒色側４０が上に向いた状態となるのである。図４に示すように、書き込みが終わった後は下側シート２００は図３に示すパターンの上に書きこんだもの１１０が重ね合わさった画像が形成される。
【００１６】
図５は図４に示す改ざん履歴記録機能付き電子式記録用紙の書きこみ部分１１０が部分的に消去された状態を示す分解斜視図である。図５における線Ａ−Ａの右側部分は、改ざん履歴記録機能付き電子式記録用紙に電界を印加することにより、要素２０が白色側３０を上に向けるようにすることにより消去されたものである。図５に示すように下側シート２００の線Ａ−Ａより右側部分の要素２０は上側シート１００の対応する部分の要素２０と同様に白色側３０を上に向けている。
【００１７】
図６は図５に示す改ざん履歴記録機能付き電子式記録用紙に対して下側シート２００に形成されていたパターンを復元しようと試みた場合の状態を示す分解斜視図である。このような復元行為はこの改ざん履歴記録機能付き電子式記録用紙に改ざん行為が行われたことを隠蔽するために行われるものである。この例では改ざんが書かれたもの１１０を部分的に消去しようとするものである。図６に示すように、下側シート２００のパターンを復元しようとする試みは成功しているが、上側シート１００上にもこのパターンが形成されてしまっている。これは改ざん履歴記録機能付き電子式記録用紙に電界を印加し下側シート２００にパターンを復元しようとすると、この電界が上側シート１００の要素２０にも作用してしまうためである。例えば要素１４１は下側シート２００のパターンの一部として要素２４１が復元されることに対応して黒色側４０を上に向けるようになる。
【００１８】
これまでの記述では、２枚の電子式記録用紙のシートを分離不能に貼り合わせることにより、改ざん履歴記録機能付き電子式記録用紙が改ざんを検出されずに行うことがほとんど不可能になることが説明されてきた。
【００１９】
上述の例では、２枚の電子式記録用紙のシートを分離不能に貼り合わせる構成のものにつき説明してきたが、２枚の電子式記録用紙のシートを相互に剥がすことが可能なように例えば溶解可能な接着剤や可逆性の接合を用いても良い。分離不能な接着ではない接着方法を用いることにより改ざんに対するセキュリティレベルは低下するが、このような構成の改ざん履歴記録機能付き電子式記録用紙は改ざん履歴記録機能付き電子式記録用紙として再利用可能である。２枚のシートを可逆的に接着する、すなわち分離不能ではない接着方法を用いることによるセキュリティレベルは、可逆性接着剤に対する作用の可能性を制限することにより向上させることができる。例えば接着剤の溶剤に対する作用の可能性を制限してもよい。シートを分離不能に接着する場合でも分離不能でない接着をする場合でも接着剤は使用可能であるが、なんらかの適当な接着剤を使用してよい。例えば上側シートと下側シートの接着に紙バサミ、留め金、又は電気的なロックをしようすることもできよう。
【００２０】
図１２は参考例を示すものであるが、図２から図６を用いて説明してきたものと同一の思想を適用することにより、単一の電子式記録用紙より成る改ざん履歴記録機能付き電子式記録用紙を構成したものである。図２から図６を用いて説明してきたものと同一の概念を単一のシート３００に適用し、この単一シート３００に書きこみを行う前に複雑パターン３１０を形成する。この複雑パターン３１０は、このパターンの復元を試みるときは暗号かぎを所有していることが必要となるようなものであってもよい。そのようにすることにより、この暗号かぎを持たない者が書かれているものを消去した場合、書かれているものを消去するだけでなく複雑パターンをも消去してしまうことになる。このため、改ざんの証拠が紙面に残ることになる。セキュリティレベルは低下してしまうが、このパターンは複雑なすかし模様かその他の複雑パターンであってもよい。
【００２１】
図７から図１１は本発明の改ざん履歴記録機能付き電子式記録用紙の他の具体例を示すものである。図７は上側シート１０１と下側シート２０１の２枚のシートより成る改ざん履歴記録機能付き電子式記録用紙を示している。上側シート１０１の要素２０の向きを変えさせるのに必要となる電界の強さと下側シート２０１の要素２０の向きを変えさせるのに必要となる電界の強さとは異なっている。特にこの具体例の場合、下側シート２０１の要素２０の向きを変えさせるのに必要となる電界は、上側シート１０１の要素２０の向きを変えさせるのに必要となる電界よりも低く設定されている。この例では、上側シート１０１の要素２０は下側シート２０１の要素２０とは異なる直径の球により作られている。このため、下側シート２０１の要素２０は上側シート１０１の要素２０を回転させるのに要する電界よりも弱い電界に反応して回転する。このため、本発明のこの具体例である改ざん履歴記録機能付き電子式記録用紙においては、上側シート１０１と下側シート２０１とが分離不能に貼り合わされたままいずれのシートの要素２０も任意の方向を向いていたとしても、改ざん履歴記録機能付き電子式記録用紙として再使用可能である。図８から図１１はわかりやすい図示のみを目的として分解斜視図の形式で本発明の具体例を示したものである。したがって、図８から図１１では上側シート１０１と下側シート２０１とは分離不能に貼り合わされている改ざん履歴記録機能付き電子式記録用紙が示されているものと解釈されたい。
【００２２】
図８は上側シート１０１と下側シート２０１との両方が白無垢に消去されている状態を示している。
【００２３】
図９は、下側シート２０１にパターンが形成された改ざん履歴記録機能付き電子式記録用紙を示している。下側シート２０１の要素２０は、上側シート１０１の要素２０を回転させるのに要する電界よりも弱い電界でも回転する。このため、下側シート２０１の要素２０を回転させるのに要する電界と、上側シート１０１の要素２０を回転させるのに要する電界との中間の電界を改ざん履歴記録機能付き電子式記録用紙に印加することにより、下側シート２０１のみにパターンを形成させることが可能である。このような加工は上側シート１０１と下側シート２０１とが分離不能に貼り合わされていても行うことができる。なぜならば、印加される電界は上側シートの要素２０を回転させるほどには強くないからである。最初に紹介した具体例にもあったように、灰色のパターンを一例として利用できる。ただしあらゆるパターンが利用可能であるものと理解されたい。
【００２４】
図１０は図９に示す改ざん履歴記録機能付き電子式記録用紙の上側シート１０１に書きこみ１１１を行った後の状態を示している。上側シートの要素２０を回転させるのに要する電界は下側シート２０１の要素２０を回転させるのに要する電界よりも強いため、上側シート１０１の要素２０を書きこみにより回転させると、対応する下側シート２０１の要素２０も回転する。例えば図９に示すように下側シート２０１の要素２６３は、この下側シート２０１に形成されていたパターンの一部として白色側を上に向けていたものであった。ところが図１０に示すように、書き込み１１１を行うことにより黒色側４０が上を向くようになった。従って、書きこみ１１１を行った後は、下側シート２０１は図９に示すパターンに書き込み１１１が重ね合わされた状態となる。
【００２５】
図１１は図１０に示す改ざん履歴記録機能付き電子式記録用紙の線Ｂ−Ｂの右側を消去して白無垢の状態にしたものを示している。図１１に示すように、上側シートの要素２０を回転させるのに要する電界は下側シート２０１の要素２０を回転させるのに要する電界よりも強いため、上側シート１０１の要素２０の線Ｂ−Ｂの右側を消去して白無垢状態にすると、対応する領域の下側シート２０１の要素２０も白無垢状態になる。この結果上側シート１０１上に書かれたものに対して部分的に消去を試みると、この消去の証拠が残ることになる。
【００２６】
この具体例の改ざん履歴記録機能付き電子式記録用紙を再利用するときは、改ざん履歴記録機能付き電子式記録用紙に電界を印加し、これの上側シート１０１を全体にわたって白色に消去する。この場合の電界は、下側シート２０１も白無垢に消去することができるだけの強さであるはずなので、上側シート１０１及び下側シート２０１が共に図８に示すような状態に復元される。この時点で改ざん履歴記録機能付き電子式記録用紙は再使用可能な状態となっている。本具体例に基づく改ざん履歴記録機能付き電子式記録用紙は、図２から図６に示した改ざん履歴記録機能付き電子式記録用紙と比較してセキュリティレベルが劣ると考えられる。しかしながら、本具体例の改ざん履歴記録機能付き電子式記録用紙は、再使用可能となっている。またこの場合でも、改ざんを行った後特定の書きこみを行うためには、２つの異なった強度の電界を発生できる装置が必要となる。
【００２７】
本発明の改ざん履歴記録機能付き電子式記録用紙の用途として様々なものが考えられるが、その一例として次のようなものが考えられる。すなわち、図書館の貸し出し用の本に本発明の改ざん履歴記録機能付き電子式記録用紙の小片を添付し、貸し出しに関する情報をこれに記録するようにしてもよい。また、身分証明の情報が形状、在庫量その他に関するものがコンピュータ又は事務用機器上に表示されるようにしてもよい。さらに、商品やサービスに付加された値札、製品に付加され翻訳される必要のあるユーザーラベル、及び製造時点で付加され出荷直前にコンピュータリストから画像出力されるメイリングラベルに本発明の改ざん履歴記録機能付き電子式記録用紙を用いても良い。これらの事例は本発明の改ざん履歴記録機能付き電子式記録用紙の多種多用な応用例のうちのごくわずかな例に過ぎず、本発明の応用例がこれらに限定されるものではない。
【００２８】
１枚のシートから成る具体例及び２枚のシートから成る具体例のいずれの場合でも、下側シートの上面にある画像を下側シートの下面から観察して判定することが可能である。いくつかの応用例では、潜在性としての偽造者が本発明の改ざん履歴記録機能付き電子式記録用紙を下側シートの下面から見たときに、この電子式記録用紙が改ざんを検出するように構成されたものであることに気づき、改ざんを思いとどまらせる効果があると考えられる。さらに下側シートの下面を露出させることにより、この電子式記録用紙が改ざんされたものであるか否かがわかるようになる。さらに別の応用例として、逆に電子式記録用紙の下側シートの下面に覆いを施し、こちら側からは見えないようにすることによっても利点を得ることができる。このような応用例は、偽造を思いとどまらせるには偽造者をつかまえることが望ましい、という考えに立つものである。このように下側シートの下面に覆いをしたりしなかったりしてそれぞれの利点を探求することはこれらの応用例から明らかになしうることである。
【００２９】
本発明の実施の一つの形態として、電子式記録用紙の上側シートに通常の用紙を設けることにより、通常の書きこみと電子式書きこみの両方ができるようにしてもよい。さらに、何層かの改ざん履歴記録機能付き電子式記録用紙を分離可能に貼り合わせ、一番上の層に書きこんだ署名がその下のすべての層に転写できるようにしてもよい。このようにすることにより、最新の署名に先立ってこの最新の署名を含むすべての署名の分離可能な複写を得ることができる。
【００３０】
本発明は、回転する要素を有する電子式記録用紙の例を用いて説明してきたが、例えば電気泳動をする粒子を含む電子式記録用紙、及び液晶を用いた電子式記録用紙などその他の電子式記録用紙にも本発明を適用することができる。
【００３１】
本発明は特に上述した具体例と関連させながら説明してきたが、当業者にとって様々な代替変更例を考案することは容易である。従って、上述の本発明の好適実施例は、本発明を説明するために導入されたものであり本発明がこれに限定されるものではない。すなわち、本発明の要旨から逸脱することなく様々に変更しうるものである。
【図面の簡単な説明】
【図１】  従来の電子式記録用紙の一例を示す図である。
【図２】  本発明に基づく改ざん履歴記録機能付き電子式記録用紙の具体例を示す図である。
【図３】  図２に示す改ざん履歴記録機能付き電子式記録用紙の使用される前の状態を示す分解斜視図である。
【図４】  図３に示す改ざん履歴記録機能付き電子式記録用紙に書きこみを行った後の状態を示す分解斜視図である。
【図５】  図４に示す改ざん履歴記録機能付き電子式記録用紙の書きこみの一部を消去した後の状態を示す分解斜視図である。
【図６】  図５に示す改ざん履歴記録機能付き電子式記録用紙の下側シートのパターンの復元を試みた後の状態を示す分解斜視図である。
【図７】  本発明に基づく改ざん履歴記録機能付き電子式記録用紙の他の具体例を示す図である。
【図８】  図７に示す改ざん履歴記録機能付き電子式記録用紙の上側及び下側シートを白無垢にした状態を示す分解斜視図である。
【図９】  図８に示す改ざん履歴記録機能付き電子式記録用紙の下側シートにパターンを印刷した状態を示す分解斜視図である。
【図１０】  図９に示す改ざん履歴記録機能付き電子式記録用紙に書きこみを行った後の状態を示す分解斜視図である。
【図１１】  図１０に示す改ざん履歴記録機能付き電子式記録用紙の書きこみを部分的に消去した後の状態を示す分解斜視図である。
【図１２】  単一の電子式記録用紙のシートより成る参考例を示す図である。
【符号の説明】
２０，３０，４０  要素（ピクセル）、１００，１０１  第１の電子式記録用紙のシート、２００，２０１  第２の電子式記録用紙のシート。
【図１】
0004392935.tif 000002
【図２】
0004392935.tif 000003
【図３】
0004392935.tif 000004
【図４】
0004392935.tif 000005
【図５】
0004392935.tif 000006
【図６】
0004392935.tif 000007
【図７】
0004392935.tif 000008
【図８】
0004392935.tif 000009
【図９】
0004392935.tif 000010
【図１０】
0004392935.tif 000011
【図１１】
0004392935.tif 000012
【図１２】
0004392935.tif 000013